(57)【特許請求の範囲】
【請求項１】
外部回路に対する入出力結合手段を有するとともに、内部に遮蔽空洞が形成された筐体と、
固着面となる平面部位を有するとともに、前記平面部位の一部を掘り込むように設けられた誘電体除去部を有する立体形状からなる誘電体と、
前記平面部位を介して前記誘電体が前記遮蔽空洞の内壁面に密着固定されることにより、前記誘電体除去部と前記内壁面との間に形成されたねじ可動空間と、
前記筐体の外部から前記ねじ可動空間に向けて挿入される共振周波数調整ねじと、
前記共振周波数調整ねじを前記筐体に対して位置決め固定するための固定手段と、を備え、
前記共振周波数調整ねじは、先端部が前記ねじ可動空間に突出し、かつ、前記先端部の突出量が前記遮蔽空洞の外部から調整可能に設けられ、前記先端部の突出量が増加されることで共振周波数が上昇されることを特徴とする誘電体共振器。
【請求項２】
前記誘電体と実質的に一致した線膨張係数を有する平板状のキャリアを備え、
前記誘電体と前記内壁面との間に前記キャリアを介在させることにより、前記誘電体除去部と前記キャリアとの間で前記ねじ可動空間を構成したことを特徴とする請求項１に記載の誘電体共振器。
【請求項３】
前記誘電体と実質的に一致した線膨張係数を有する平板状のリッドを備え、
前記筐体は、開口部を有する箱形の筐体により構成され、
前記遮蔽空洞は、前記箱形の筐体の開口部を前記リッドで覆うことにより形成され、
前記入出力結合手段は、前記リッドまたは前記箱形の筐体に少なくとも１つ設けられ、  前記誘電体は、前記リッドの前記遮蔽空洞側の一面に前記平面部位を介して密着固定され、
前記ねじ可動空間は、前記リッドと前記誘電体除去部との間に形成され、
前記共振周波数調整ねじは、前記固定手段を用いて前記リッドに取り付けられていることを特徴とする請求項１に記載の誘電体共振器。
【請求項４】
前記共振周波数調整ねじの先端部の周りに位置する、前記遮蔽空洞の内壁面、前記リッドの前記誘電体との取り付け面、または、前記キャリアの前記誘電体との取り付け面に、溝部を設け、
前記溝部の上面位置は、前記誘電体の平面部位が密着固定される部位の上面位置よりも低く設定されたことを特徴とする請求項１から請求項３までのいずれか１項に記載の誘電体共振器。
【請求項５】
前記誘電体は、半割り円柱形状の軸付近が除去された部位を前記誘電体除去部とし、半割り面を前記固着面とした立体形状からなることを特徴とする請求項１から請求項４までのいずれか１項に記載の誘電体共振器。
【請求項６】
前記誘電体の円柱形状の周方向に一様な電界を有する共振モードで共振することを特徴とする請求項５に記載の誘電体共振器。
【請求項７】
請求項１から請求項６までのいずれか１項に記載の誘電体共振器を少なくとも１つ用いて構成された高周波フィルタ。
【発明の詳細な説明】
【技術分野】
【０００１】
この発明は、マイクロ波帯またはミリ波帯で用いられるにイメージ形の誘電体共振器およびそれを用いて構成された高周波フィルタに関するものである。
【背景技術】
【０００２】
従来から、「ＴＥ０１δモード」と呼ばれる共振モードで共振する誘電体共振器は、マイクロ波帯またはミリ波帯で用いられる小形低損失な共振器として広く用いられている。
ＴＥ０１δモードの誘電体共振器は、円柱形状の誘電体を、一回り小さな支持台（支持誘電体）の上に載置し、これらを良導体で遮蔽された空洞内に固定した基本形態を有する。
【０００３】
また、従来から、上記のような誘電体共振器をさらに小形にする共振器として、イメージ形の誘電体共振器が知られている。
イメージ形の誘電体共振器は、ＴＥ０１δモードの電界が、円柱形状誘電体の周方向成分のみ存在し、円柱の軸を含む任意の面が電気壁となることを利用するものである。たとえば、円柱形状誘電体を、円柱の軸を含む面で半割りとし、半割り面を遮蔽空洞の内壁面に密着固定することで実現される。
【０００４】
この場合、誘電体の形状は、円柱の軸を含む面はすべて電気壁になるから、半割り以外にも、１／４分割、１／８分割などが考えられ、扇形の誘電体の２つの面を、いずれも遮蔽空洞の内壁面に密着固定すれば、イメージ形の誘電体共振器を実現することができる。
イメージ形の誘電体共振器は、遮蔽空洞への取り付け面での損失発生により、イメージ形でない通常の誘電体共振器に比べて電気性能がやや劣るものの、共振器としての体積が半分以下になることから大幅に小形化されるという特徴がある。
【０００５】
また、イメージ形の誘電体共振器は、支持台が不要なことから、低コスト化を実現し、かつアセンブリを容易にする可能性があること、共振する誘電体が遮蔽空洞に対して直接的に取り付けられることから、熱源となる誘電体から遮蔽空洞への熱抵抗が小さくなるので、放熱面で有利であり、耐電力の点で優れるなどの特徴がある。
【０００６】
従来のイメージ形の誘電体共振器としては、共振周波数の同調範囲を広げるために円柱の軸方向に突出量が変化する２本の調整ねじを用いたもの（たとえば、特許文献１参照）や、円柱を１／４分割した誘電体と、円柱の径方向に突出量が変化する調整ねじとを備えた誘電体共振器を用いたフィルタ（たとえば、特許文献２参照）などが提案されている。
【０００７】
ところで、イメージ形の誘電体共振器の共振周波数調整は、上記特許文献１、２に参照されるように、遮蔽空洞に取り付けられた金属製の調整ねじにより行われ、遮蔽空洞内におけるＴＥ０１δモードの電磁界の分布領域の大きさを、遮蔽空洞内への調整ねじの突出量（突出部分の長さ）によって変化させる。
【０００８】
すなわち、調整ねじの突出量を大きくして、電磁界の分布可能な領域を小さく限定すれば、共振周波数は高くなるので、直径の大きな調整ねじを用いれば、共振周波数の調整範囲（同調範囲）を大きく設定することができる。
【０００９】
しかし、イメージ形の誘電体共振器は、電気壁を活用して共振器全体を小形化しており、イメージ形でない通常の誘電体共振器と比べると、直径の大きな調整ねじを使用することは困難なので、調整ねじの突出量が大きくなりがちである。
【００１０】
また、調整ねじの突出部先端まわりは、周囲の遮蔽空洞内壁面との間で電界の集中をもたらす作用を有するので、調整ねじの突出量が大きいと、遮蔽空洞の実効的な電気的寸法が大幅に拡大し、ＴＥ０１δモードの近隣に存在する不要共振モードの共振周波数が大きく変化する。
【００１１】
したがって、たとえば、イメージ形の誘電体共振器を用いて帯域通過フィルタを構成した場合には、ＴＥ０１δモードの共振周波数の調整に応じて不要共振モードの共振周波数が変化するので、阻止帯域での減衰特性も大きく変化し、高減衰量を安定して得ることが難しいという問題がある。
この問題は、特許文献１に記載のように、調整ねじの本数を増やした場合でも、調整ねじの突出量の総和に関係する現象であるので、根本的な解消に結びつきにくい。
【００１２】
また、誘電体共振器の性能と、誘電体共振器を用いて構成される周波数特性の間には、密接な関連があり、たとえば、帯域通過フィルタであれば、誘電体共振器の性能に応じて実現にあたり適切な通過帯域幅がほぼ定まる。
基本的に、誘電体共振器の性能が高いほど通過帯域幅の狭いフィルタを実現することができ、複数の誘電体共振器を用いて構成されたフィルタの、各共振器の共振周波数の同調範囲は、その調整の便宜を考えると、通過帯域幅の数倍程度確保できることが望ましい。
【００１３】
一方、前述のように、イメージ形の誘電体共振器の性能は、イメージ形でない通常の誘電体共振器を上回ることはないので、イメージ形の誘電体共振器を用いて構成されるフィルタの通過帯域幅は、イメージ形でない通常の誘電体共振器よりも広めとなることが多くなる。したがって、イメージ形の誘電体共振器の共振周波数の同調範囲は、イメージ形でない通常の誘電体共振器よりも、むしろ大きいことが望まれる。
【先行技術文献】
【特許文献】
【００１４】
【特許文献１】特開平２−１３７５０２号公報
【特許文献２】特開昭６３−２８０５０３号公報
【発明の概要】
【発明が解決しようとする課題】
【００１５】
従来のイメージ形の誘電体共振器は、調整ねじによる共振周波数の同調範囲が狭く、また、同調範囲を大きくするために、直径の大きな調整ねじを用いることや、複数本の調整ねじを用いていたので、誘電体共振器の外形が大きくなり、実用的でないという課題があった。
【００１６】
また、所望の共振モードの近隣に位置する不要共振モードの共振周波数が、調整ねじの突出量に応じて大きく変化するので、良好な減衰特性を安定して提供可能なフィルタを得ることができないという課題があった。
【００１７】
また、調整ねじの突出量を大きく変更可能に構成すると、共振周波数の調整後に、遮蔽空洞内への調整ねじの突出量が小さくて済む場合に、必然的に遮蔽空洞外部への調整ねじの残存量が大きくなって共振器の外形が大きくなり、多数の調整ねじを用いた場合にはさらに大形化するという課題があった。
【００１８】
この発明は、上記のような課題を解決するためになされたものであり、イメージ形の誘電体共振器において、調整ねじによる共振周波数の同調範囲を大きく設定するとともに、ＴＥ０１δモードの近隣に存在する不要共振モードの共振周波数が調整ねじの突出量によって大きく変化することがなく、さらに外形の小さい誘電体共振器を得ることを目的とする。
また、この発明に係る誘電体共振器を用いて高周波フィルタを構成した場合に、共振周波数調整によらず、良好な周波数特性を安定して得られる高周波フィルタを得ることを目的とする。
【課題を解決するための手段】
【００１９】
この発明に係る誘電体共振器は、外部回路に対する入出力結合手段を有するとともに、内部に遮蔽空洞が形成された筐体と、固着面となる平面部位を有するとともに、平面部位の一部を掘り込むように設けられた誘電体除去部を有する立体形状からなる誘電体と、平面部位を介して誘電体が遮蔽空洞の内壁面に密着固定されることにより、誘電体除去部と内壁面との間に形成されたねじ可動空間と、筐体の外部からねじ可動空間に向けて挿入される共振周波数調整ねじと、共振周波数調整ねじを筐体に対して位置決め固定するための固定手段と、を備え、共振周波数調整ねじは、先端部がねじ可動空間に突出し、かつ、先端部の突出量が遮蔽空洞の外部から調整可能に設けられ、先端部の突出量が増加されることで共振周波数が上昇されるものである。
【発明の効果】
【００２０】
この発明によれば、固着面となる平面部位を有し、平面部位の一部分を掘り込むように設けられた誘電体除去部を有する立体形状からなる誘電体を、遮蔽空洞の内壁面に平面部位を介して密着固定するように取り付け、誘電体除去部と内壁面との間に形成されるねじ可動空間内に先端部が突出する共振周波数調整ねじを遮蔽空洞に取り付け、ねじ可動空間への突出量を遮蔽空洞の外部から調整可能に構成することにより、調整ねじによる共振周波数の同調範囲を大きく設定可能にするとともに、ＴＥ０１δモードの近隣に存在する不要共振モードの共振周波数が調整ねじの突出量によって大きく変化することがなく、さらに外形の小形化を実現することができる。
また、この発明に係る誘電体共振器を用いることにより、共振周波数調整によらず、良好かつ安定な周波数特性の高周波フィルタを得ることができる。
【図面の簡単な説明】
【００２１】
【図１】この発明の実施の形態１に係る誘電体共振器を示す分解斜視図である。
【図２】図１内のＡ−Ａ’線による断面図である。
【図３】図２におけるＴＥ０１δモードの電界分布を示す説明図である。
【図４】この発明の実施の形態１における調整ねじの空洞内への突出量とＴＥ０１δモードの共振周波数変化率およびスプリアス離調率との関係を、従来特性と比較して示す説明図である。
【図５】この発明の実施の形態２に係る誘電体共振器を示す分解斜視図である。
【図６】図５内のＢ−Ｂ’線による断面図である。
【図７】この発明の実施の形態３に係る誘電体共振器を示す分解斜視図である。
【図８】図７内のＣ−Ｃ’線による断面図である。
【図９】この発明の実施の形態４に係る高周波フィルタの分解斜視図である。
【図１０】図９内のＤ−Ｄ’線による断面図である。
【発明を実施するための形態】
【００２２】
実施の形態１．
図１はこの発明の実施の形態１に係る誘電体共振器を示す分解斜視図であり、図２は図１内のＡ−Ａ’線による断面図である。
図１および図２において、誘電体共振器は、誘電体１と、誘電体１を収納する箱型の筺体２と、筺体２の開放端を覆うリッド３と、誘電体１の支持板となるキャリア４と、筺体２およびリッド３により形成される遮蔽空洞（以下、単に「空洞」という）５と、同軸線路内導体からなる入出力端子（入出力結合手段）６と、入出力端子６の外周部を支持する誘電体８と、ナット（固定手段）１２を介して筺体２内に挿入される共振周波数調整ねじ１０と、キャリア４を筺体２の内壁に固定するねじ１３と、リッド３を筺体２の開放端に固定するねじ１４とを備えている。
【００２３】
入出力端子６は、誘電体８を介して筐体２の一端部に支持される。
半割り円柱形の誘電体１は、軸付近の一部が取り除かれており、軸位置付近に半円形の誘電体除去部１６が形成され、ほぼＣ字形状を有している。また、誘電体１の両端部には、キャリア４に対する固着面９となる平面部位が形成されている。
【００２４】
キャリア４の中心位置には、共振周波数調整ねじ１０が貫通するためのねじ穴１１が形成されており、ねじ穴１１の両側上面が誘電体１の固定位置１５となる。
キャリア４の固定位置１５には、誘電体１の固着面９が接合され、誘電体除去部１６とキャリア４とによって囲まれた部分に、ねじ可動空間１７が形成される。
【００２５】
図１、図２に示すように、半割り円柱形の誘電体１は、誘電体１の固着面９（半割り面の端部からなる平面部位）と、キャリア４の固定位置１５とを接合することにより、キャリア４上に固定される。
また、キャリア４をは、ねじ１３により箱型の筺体２の底面に固定され、リッド３は、ねじ１４により筺体２の上面に固定される。
【００２６】
筺体２の一側面には、外部回路（図示せず）へと繋がる同軸線路状の入出力端子６（同軸線路内導体からなる入出力結合手段）が設けられている。
また、共振周波数調整ねじ１０は、筺体２の底面側から、キャリア４に設けられたねじ穴１１を貫通しており、ナット１２を用いて、筺体２の外部で所望位置となるように固定される。
【００２７】
すなわち、共振周波数調整ねじ１０の先端は、誘電体１の軸付近の誘電体除去部１６とキャリア４とにより構成されるトンネル状のねじ可動空間１７へと突出し、この突出量が筺体２の外部から調整可能となっている。
なお、箱型の筺体２、リッド３、キャリア４、および共振周波数調整ねじ１０は、いずれも、良導体により構成されるか、または、任意部材の表面に良導体のメッキを施したものが用いられる。
【００２８】
また、キャリア４の構成材料としては、誘電体１と線膨張係数がほぼ一致する素材を採用することが望ましい。
さらに、誘電体１のキャリア４への固定方法は、従来技術に見られるいずれの手法でも良く、特定の固定方法である必要はない。
【００２９】
図３は誘電体１内の電界分布を破線矢印で示す説明図であり、ＴＥ０１δモードの電界分布を示している。
図３において、細破線矢印は、小さい振幅の電界成分を示し、太破線矢印は、大きい振幅の電界成分を示している。
振幅小および振幅大の各電界成分（細破線矢印、太破線矢印参照）は、円柱形状の誘電体１の周方向成分のみであり、振幅は円柱の周方向で一様である。
【００３０】
また、図示したように、円柱の径方向に対して周方向の電界の振幅分布が存在し、円柱の軸付近では振幅０であって、径座標が円柱半径の半分程度のところで最大となり、径座標が円柱半径を超えたところで振幅０に近づくという分布を有する。
さらに、各電界方向は、誘電体１を固定しているキャリア４の上面に対して垂直になっており、キャリア４の上面が等価的に電気壁となっていることは言うまでもない。
【００３１】
共振周波数調整ねじ１０の先端部は、ねじ可動空間１７すなわち、ＴＥ０１δモードの周回する電界分布（破線矢印）の中心部分（電磁界の集中部位）に突出している。
したがって、電磁界の集中部位に導体が配置されることになるので、共振周波数調整ねじ１０の突出量に対する共振周波数の変化量は大きくなり、直径の比較的小さい共振周波数調整ねじ１０を用いても、わずかな突出量で大きな共振周波数変化量を得られる。
【００３２】
なお、上述のように、ＴＥ０１δモードの電界の振幅は、円柱の軸付近では０であり、また、円柱の軸は、直径が無限に小さい「円筒形状の電気壁」と見なせることから、円柱の軸付近への共振周波数調整ねじ１０（導体）の突出によって、当該共振モードの励振そのものが阻害されることはない。
【００３３】
ねじ可動空間１７（空洞）内への共振周波数調整ねじ１０の突出量が増加することは、等価的に円筒形状の微小電気壁の直径が大きくなることと近似しており、ＴＥ０１δモードの電磁界の分布領域を径方向に対して狭めることに対応するので、誘電体１の円柱径を小さくすることと等価的な作用が期待できる。
【００３４】
誘電体１の円柱径の変化は、すべての共振モードに対して共振周波数を上昇させる作用を及ぼすので、この発明の実施の形態１によれば、ＴＥ０１δモードと不要共振モードとの共振周波数間隔を保ちやすいということになる。
ただし、ねじ可動空間１７の直径が小さく、かつ共振周波数調整ねじ１０の突出量がわずかであるとは言え、空洞内に突出する導体の存在は、前述のように、空洞の電気的寸法を等価的に大きくすることにもなるので、実際に共振周波数間隔が保てるか否かは、厳密には、不要共振モードごとの電磁界分布に依存する。
【００３５】
図４はこの発明の実施の形態１に係る誘電体共振器の有効性を示す説明図であり、共振周波数調整ねじ１０の空洞内への突出量［ｍｍ］と、ＴＥ０１δモードの共振周波数変化率［％］およびスプリアス離調率（直近の高域側不要モード共振の離調率）［％］との関係を１つの計算結果として示している。
【００３６】
図４において、この発明の実施の形態１（φ４ｍｍねじ使用時）による特性曲線は、実線（三角点の計算値）で示されており、従来のイメージ形の誘電体共振器（φ８ｍｍねじ使用時）による特性曲線（点線、四角点の計算値）と比較した場合の有用性を明確化している。
【００３７】
図４内の共振周波数変化率（黒三角点、左側目盛）は、共振周波数調整ねじ１０の突出量が０ｍｍのときの共振周波数を基準として求めたものである。
一方、スプリアス離調率（白三角点、右側目盛）は、共振周波数調整ねじ１０の突出量ごとに求めたものであり、ＴＥ０１δモードの共振周波数ｆｔと不要共振モードの共振周波数ｆｎとの差を前者ｆｔで除した値（ｆｔ−ｆｎ／ｆｔ）を％表示したものである。
【００３８】
図４で示した従来のイメージ形の誘電体共振器は、この発明の実施の形態１に係る誘電体共振器と比較して、共振周波数調整ねじ１０の取り付け位置および直径φが異なり、誘電体１および空洞の形状は、それぞれ同一としている。
従来のイメージ形の誘電体共振器における共振周波数調整ねじは、たとえば、図１内の箱型の筺体２に点線矢印Ｘの先端位置に取り付けられ、点線矢印Ｘの方向に突出量が調整可能になっている。
【００３９】
共振周波数調整ねじ１０の直径φについては、従来の誘電体共振器では、この発明の実施の形態１における共振周波数調整ねじの直径（φ４ｍｍ）の２倍（φ８ｍｍ）の大きさとしている。
また、図４の計算値は、Ｌ帯（約１ＧＨｚ）において導出されたものであり、誘電体１の比誘電率を約５０としている。
【００４０】
図４から明らかなように、従来の誘電体共振器の特性曲線（点線、黒四角点）によれば、ＴＥ０１δモードの共振周波数を２％変化させるために、共振周波数調整ねじの直径が大きい（φ８ｍｍ）にも関わらず、９ｍｍ以上の空洞内突出量（破線参照）が必要となる。
【００４１】
これに対して、この発明の実施の形態１に係る誘電体共振器（実線、黒三角点）によれば、ＴＥ０１δモードの共振周波数を２％変化させるために、３ｍｍ程度（従来の誘電体共振器に比べて、約１／３程度）の突出量（１点鎖線参照）で済むことが分かる。
【００４２】
一方、スプリアス離調率に関しては、従来の誘電体共振器（点線、白四角点）では、突出量９ｍｍで１０％以上の低下が見られるのに対し、この発明の実施の形態１に係る誘電体共振器（実線、白三角点）では、大きく変化しないことが分かる。
なお、この発明の実施の形態１においては、共振周波数調整ねじ１０の突出量が増加するにつれて、わずかにスプリアス離調率が低下するが、これは、ＴＥ０１δモードの共振周波数が上昇するのに対して、不要共振モードの共振周波数がほとんど変化しないことに起因する。
【００４３】
以上のように、この発明の実施の形態１（図１〜図４）に係る誘電体共振器は、外部回路に対する入出力端子（入出力結合手段）６を有するとともに、内部に空洞５が形成された筐体２と、固着面９となる平面部位を有するとともに、平面部位の一部を掘り込むように設けられた誘電体除去部１６を有する立体形状からなる誘電体１と、平面部位を介して誘電体１が空洞５の内壁面に密着固定されることにより、誘電体除去部１６と内壁面との間に形成されたねじ可動空間１７と、筐体２の外部からねじ可動空間１７に向けて挿入される共振周波数調整ねじ１０と、共振周波数調整ねじ１０を筐体２に対して位置決め固定するためのナット（固定手段）１２と、を備えている。
【００４４】
共振周波数調整ねじ１０は、先端部がねじ可動空間１７に突出し、かつ、先端部の突出量が空洞５の外部から調整可能に設けられている。
また、誘電体１と実質的に一致した線膨張係数を有する平板状のキャリア４を設け、誘電体１と内壁面との間にキャリア４を介在させることにより、誘電体除去部１６とキャリア４との間でねじ可動空間１７が構成されている。
【００４５】
筐体２は、開口部を有する箱形の筐体により構成され、誘電体１と実質的に一致した線膨張係数を有する平板状のリッド３を備えており、空洞５は、箱形の筐体２の開口部をリッド３で覆うことにより形成されている。
入出力端子６は、リッド３または箱形の筐体２に少なくとも１つ設けられている。
誘電体１は、リッド３の空洞５側の一面に平面部位を介して密着固定され、ねじ可動空間１７は、リッド３と誘電体除去部１６との間に形成されている。
共振周波数調整ねじ１０は、ナット１２を用いてリッド３に取り付けられている。
【００４６】
誘電体１は、半割り円柱形状の軸付近が除去された部位を誘電体除去部１６とし、半割り面を固着面９とした立体形状からなる。
この発明の実施の形態１に係る誘電体共振器は、誘電体１の円柱形状の周方向に一様な電界を有する共振モードで共振する。
【００４７】
これにより、この発明の実施の形態１によれば、従来と比べて、小さい共振周波数調整ねじ１０を用いて、従来と同等以上のＴＥ０１δモードの同調範囲が得られるうえ、従来と比べて、不要共振モードの離調率を大きく取ることができる。
【００４８】
また、小さい共振周波数調整ねじ１０を適用した結果、外形の小さいイメージ形の誘電体共振器を実現することができる。
さらに、ＴＥ０１δモードの同調範囲が広いので、誘電体１の外形寸法誤差や比誘電率のばらつきなどに起因して必要周波数で共振しないという不具合が抑制され、歩留まりが向上するという効果がある。
【００４９】
なお、図１、図２では、誘電体１の形状を半割り円柱形として説明したが、誘電体１の形状はこの限りではなく、多角柱の半割りなどであってもよい。
すなわち、誘電体１は、ＴＥ０１δモードに類する電磁界分布にて共振可能な形状であればよく、周回する電界（図３内の破線矢印参照）の中央部の誘電体を取り除いて誘電体除去部１６を形成し、誘電体除去部１６とイメージ面となる空洞内壁面とから構成されるトンネル状の部位（ねじ可動空間１７）に対して、先端部が突出するように共振周波数調整ねじ１０を取り付ければ、前述と同様の作用効果が期待できる。
【００５０】
また、筺体２とリッド３とから成る空洞を直方体形状としたが、この限りではないことは言うまでもない。
さらに、入出力端子６は、同軸線路に限らず、導波管であってもよく、他の伝送線路形態を採用しても基本的な作用効果に違いは生じない。
【００５１】
実施の形態２．
なお、上記実施の形態１（図１、図２）では、箱形の筐体２の開口部を上向きに配置してキャリア４を設け、キャリア４の固定位置１５上に誘導体１の固着面９を密着固定したが、図５および図６のように、箱形の筐体２の開口部を下向きに配置してキャリア４を不要とし、リッド３の固定位置１５上に誘導体１の固着面９を密着固定してもよい。
【００５２】
図５はこの発明の実施の形態２に係るイメージ形の誘電体共振器を示す分解斜視図であり、図６は図５内のＢ−Ｂ’線による断面図である。
図５、図６において、前述（図１、図２参照）と同様のものについては、前述と同一符号を付して詳述を省略する。
【００５３】
この場合、誘電体１がリッド３に取り付けられ、共振周波数調整ねじ１０がリッド３にねじ込まれている点のみが前述の実施の形態１と異なり、概略構造は前述と同様である。
なお、リッド３は、誘電体１と線膨張係数が近い値を持つ部材から作製されている。
【００５４】
図５、図６のように、リッド３に誘電体１を固定した構造を適用することにより、前述と同様の作用効果を奏するとともに、前述のキャリア４が不要となるので、構成部材が減少して低コスト化が期待できるうえ、外形がさらに小形になるという効果がある。
【００５５】
実施の形態３．
なお、上記実施の形態１、２（図１〜図６）では、特に言及しなかったが、図７および図８に示すように、共振周波数調整ねじ１０の先端部の周りに位置する面に、溝部１８を設けてもよい。
【００５６】
図７はこの発明の実施の形態３に係るイメージ形の誘電体共振器を示す分解斜視図であり、図８は図５内のＣ−Ｃ’線による断面図である。
図７、図６において、前述（図５、図６参照）と同様のものについては、前述と同一符号を付して詳述を省略する。
【００５７】
この場合、リッド３の誘電体１の取り付け側において、共振周波数調整ねじ１０を取り付ける部位の回りをざぐり加工し、局所的に凹ませた溝部１８が設けられている点のみが前述の実施の形態２と異なり、概略構造は前述と同様である。
なお、ここでは、図５、図６（実施の形態２）の構成に適用した場合を示しているが、前述の実施の形態１（図１、図２）の構成にも適用可能なことは言うまでもない。
【００５８】
この発明の実施の形態３に係る誘電体共振器（図７、図８）においては、共振周波数調整ねじ１０の先端部の周りに位置する、空洞５の内壁面、リッド３の誘電体１との取り付け面（固定位置１５）、または、キャリア４の誘電体１との取り付け面（固定位置１５）に、溝部１８が設けられており、溝部１８の上面位置は、誘電体１の平面部位が密着固定される部位の上面位置よりも低く設定され、固定位置１５よりも凹んでいる。
【００５９】
このように、溝部１８を設けることにより、共振周波数調整ねじ１０による共振周波数の同調範囲を前述に比べてさらに広くとることができる。
また、溝部１８を設けることにより、トンネル状部位（ねじ可動空間１７）において、誘電体１から共振周波数調整ねじ１０の先端部（金属導体）を実質的に遠ざけることになり、共振周波数調整ねじ１０の突出による共振周波数の上昇とは逆に、共振周波数の低下が見込まれるので、トータルでの同調範囲をさらに大きくすることが可能となる。
【００６０】
実施の形態４．
なお、上記実施の形態１〜３（図１〜図８）では、誘導体共振器について説明したが、図９および図１０に示すように、前述の誘導体共振器を用いて高周波フィルタを構成してもよい。
【００６１】
図９はこの発明の実施の形態４に係るイメージ形の誘電体共振器を用いた高周波フィルタ示す分解斜視図であり、図１０は図９内のＤ−Ｄ’線による断面図である。
図９、図１０において、前述（図７、図８参照）と同様のものについては、前述と同一符号を付して、または符号の後に「ａ」、「ｂ」を付して詳述を省略する。
【００６２】
この場合、高周波フィルタは、イメージ形の誘電体共振器を２つ並設して構成されている。
なお、ここでは、図７、図８（実施の形態３）の構成を適用した場合を示しているが、前述の実施の形態１、２（図１、図２、図５、図６）の構成にも適用可能なことは言うまでもない。
【００６３】
図９、図１０において、２つの誘電体１ａ、１ｂは、固着面９ａ、９ｂを介して、１つのリッド３の固定位置１５ａ、１５ｂ上に搭載固定され、ねじ１４によりリッド３とともに箱型の筺体２に固定されている。
筺体２の側面には、誘電体１ａ、１ｂに対応して、２つの入出力端子が６ａ、６ｂが設けられている。
【００６４】
筺体２の内部に構成された２つのイメージ形の誘電体共振器は、それぞれ、共振周波数調整ねじ１０ａ、１０ｂにより、共振周波数が所望の周波数ｆ０に調整される。
また、入出力端子６ａと誘電体１ａとの間、誘電体１ａと誘電体１ｂとの間、および、誘電体１ｂと入出力端子６ｂとの間は、それぞれ、所定の強さで電磁界結合するように、各間隔および構造が選択されている。
【００６５】
この結果、図９、図１０に示す高周波フィルタにおいて、入出力端子６ａから入射された周波数ｆ０付近の高周波信号は、低損失で入出力端子６ｂへと伝送される。
一方、入出力端子６ａから入射された周波数ｆ０以外の高周波信号は、誘電体１ａ、１ｂが共振しないので、入出力端子６ａ、６ｂと各共振器との間、および、各共振器の相互間において、いずれも信号の授受が行われず、完全反射される。
これにより、図９、図１０の高周波フィルタは、帯域通過フィルタとして動作する。
【００６６】
以上のように、この発明の実施の形態４（図９、図１０）に係る高周波フィルタは、前述の実施の形態３（図７、図８）のイメージ形の誘電体共振器を用いて構成されているので、イメージ形の誘電体共振器として共振周波数の同調範囲が広く、共振周波数調整が比較的容易に行えるうえ、誘電体１ａ、１ｂの外形寸法誤差や比誘電率のばらつきなどに起因した歩留まり低下を抑制できるという効果がある。
【００６７】
また、近隣の不要共振モードの共振周波数が、共振周波数調整ねじ１０ａ、１０ｂの突出量によって大きく変化することがなく、阻止帯域において良好な減衰特性を安定して得ることができる。
さらに、共振周波数調整ねじ１０ａ、１０ｂが小さく、外形がコンパクトであるうえ、構成部材が少なく、構造的にシンプルで、信頼性の高い高周波フィルタを実現することができる。
【００６８】
なお、ここでは、誘導体共振器を２つ用いた２段フィルタの例を示したが、３段以上のフィルタについても同様の効果が得られ、また、帯域通過フィルタのほか、帯域阻止フィルタなどを構成する場合でも、同様の作用効果が得られることは言うまでもない。
【符号の説明】
【００６９】
１、１ａ、１ｂ  誘電体、２  筺体、３  リッド、４  キャリア、５  空洞（遮蔽空洞）、６、６ａ、６ｂ  入出力端子（入出力結合手段）、９、９ａ、９ｂ  固着面（平面部位）、１０、１０ａ、１０ｂ  共振周波数調整ねじ、１２、１２ａ、１２ｂ  ナット（固定手段）、１５、１５ａ、１５ｂ  固定位置、１６、１６ａ、１６ｂ  誘電体除去部、１７、１７ａ、１７ｂ  ねじ可動空間、１８、１８ａ、１８ｂ  溝部。
【図１】
0005409323.tif 000002
【図２】
0005409323.tif 000003
【図３】
0005409323.tif 000004
【図４】
0005409323.tif 000005
【図５】
0005409323.tif 000006
【図６】
0005409323.tif 000007
【図７】
0005409323.tif 000008
【図８】
0005409323.tif 000009
【図９】
0005409323.tif 000010
【図１０】
0005409323.tif 000011